(57)【特許請求の範囲】
【請求項１】
床下に配置された配線器具を露出させる開口部を有し、床材に取り付けられるプレート部材と、
前記プレート部材に回転自在に支持されて前記開口部を閉塞する蓋材とを備え、
前記蓋材は、電線を通すための通線孔が設けられた蓋本体と、前記蓋本体に回転自在に支持されて前記通線孔を閉塞する通線チップとで構成され、
前記プレート部材は、前記通線チップを開いた状態において前記通線チップの一部が載置される第１の載置部を有し、
前記通線チップは、当該通線チップの回転軸となる軸部と、当該通線チップを開いた状態において前記第１の載置部に少なくとも一部が載置される脚部とを有し、
前記脚部には、前記蓋本体の裏面に当接することで前記通線チップの浮き上がりを防止するストッパーが設けられており、
前記軸部は、当該軸部の軸方向と直交する方向において、前記ストッパーが前記蓋本体の裏面に当接する第１の位置と、前記ストッパーが前記蓋本体の裏面に当接しない第２の位置との間で移動自在に支持されることを特徴とする床用配線部材。
【請求項２】
前記ストッパーは、前記軸部が前記第１の位置にある状態では前記蓋本体の裏面端部に当接することを特徴とする請求項１記載の床用配線部材。
【請求項３】
前記蓋本体は、前記通線チップを閉じた状態において前記通線チップの裏面が接触する第２の載置部を有し、
前記第２の載置部には、前記通線チップを開いた状態において前記通線チップの端部が接触し、前記通線チップの開口側と反対側への当該通線チップの移動を規制する移動規制部が設けられていることを特徴とする請求項１又は２記載の床用配線部材。
【発明の詳細な説明】
【技術分野】
【０００１】
本発明は、床用配線部材に関するものである。
【背景技術】
【０００２】
従来より、オフィスなどの床面に配設されるフロアコンセントが提供されている（例えば特許文献１参照）。このフロアコンセントは、内部に電源用コンセントや電話用端子装置などが配設されるフロアボックス本体と、フロアボックス本体に回転自在に支持されてフロアボックス本体の上面開口を閉塞する蓋体と、蓋体の軸支部分と反対側の端縁を切り欠いて形成したケーブル類の引出口に付設される通線チップとを備える。
【０００３】
このフロアコンセントでは、ケーブル類を接続しない場合には、通線チップを閉じて蓋体に設けられた引出口を閉塞することでフロアボックス本体内に塵や埃が入り込むのを防止できる。一方、ケーブル類を接続する場合には、蓋体を開けた状態でケーブル類を電源用コンセント等に接続し、その後、通線チップを開けた状態で蓋体を閉じると通線チップが所定の角度で固定され、ケーブル類が保護される。
【先行技術文献】
【特許文献】
【０００４】
【特許文献１】実開平７−１１８２８号公報（段落［０００５］−段落［００１１］、及び、第１図−第３図）
【発明の概要】
【発明が解決しようとする課題】
【０００５】
ところで、上述の特許文献１に示したフロアコンセントは、通線チップを閉じた状態において通線チップの浮き上がりを防止する構造を備えたものではなく、例えば振動などで通線チップが浮き上がった場合には通線チップに引っ掛かって躓く虞があった。
【０００６】
本発明は上記問題点に鑑みて為されたものであり、その目的とするところは、安全性を向上させた床用配線部材を提供することにある。
【課題を解決するための手段】
【０００７】
本発明の床用配線部材は、床下に配置された配線器具を露出させる開口部を有し、床材に取り付けられるプレート部材と、プレート部材に回転自在に支持されて開口部を閉塞する蓋材とを備え、蓋材は、電線を通すための通線孔が設けられた蓋本体と、蓋本体に回転自在に支持されて通線孔を閉塞する通線チップとで構成され、プレート部材は、通線チップを開いた状態において通線チップの一部が載置される第１の載置部を有し、通線チップは、当該通線チップの回転軸となる軸部と、当該通線チップを開いた状態において第１の載置部に少なくとも一部が載置される脚部とを有し、脚部には、蓋本体の裏面に当接することで通線チップの浮き上がりを防止するストッパーが設けられており、軸部は、当該軸部の軸方向と直交する方向において、ストッパーが蓋本体の裏面に当接する第１の位置と、ストッパーが蓋本体の裏面に当接しない第２の位置との間で移動自在に支持されることを特徴とする。
【０００８】
この床用配線部材において、ストッパーは、軸部が第１の位置にある状態では蓋本体の裏面端部に当接するのが好ましい。
【０００９】
また、この床用配線部材において、蓋本体は、通線チップを閉じた状態において通線チップの裏面が接触する第２の載置部を有し、第２の載置部には、通線チップを開いた状態において通線チップの端部が接触し、通線チップの開口側と反対側への当該通線チップの移動を規制する移動規制部が設けられているのも好ましい。
【発明の効果】
【００１０】
安全性を向上させた床用配線部材を提供することができるという効果がある。
【図面の簡単な説明】
【００１１】
【図１】本実施形態の床用配線部材を下側から見た斜視図である。
【図２】同上を用いた床用配線装置の分解斜視図である。
【図３】同上を用いた床用配線装置の一部省略せる分解斜視図である。
【図４】同上を用いた床用配線装置において通線チップを閉じた状態を示し、（ａ）は平面図、（ｂ）は側面図である。
【図５】（ａ）（ｂ）は同上を用いた床用配線装置において通線チップを閉じた状態の斜視図である。
【図６】同上を用いた床用配線装置において通線チップを開けた状態を示し、（ａ）は斜視図、（ｂ）は側断面図である。
【図７】同上を用いた床用配線装置を構成する第１配線器具ブロックを示し、（ａ）は正面図、（ｂ）は側面図、（ｃ）は上面図である。
【図８】同上を用いた床用配線装置を構成する第１配線器具ブロックを示し、（ａ）は前側から見た斜視図、（ｂ）は後側から見た斜視図である。
【図９】同上を用いた床用配線装置を構成する第２配線器具ブロックを示し、（ａ）は正面図、（ｂ）は斜視図である。
【図１０】（ａ）〜（ｅ）は同上を用いた床用配線装置を構成する配線器具ブロックを床材に取り付ける手順を説明する模式的な説明図である。
【図１１】（ａ）は同上を用いた床用配線装置を床材に取り付けた状態を示す説明図、（ｂ）は第１配線器具ブロックを床材に取り付けた状態を示す説明図である。
【図１２】（ａ）〜（ｇ）は同上を用いた床用配線装置において通線チップを開く動作を説明する説明図である。
【発明を実施するための形態】
【００１２】
以下に、本実施形態の床用配線部材を用いた床用配線装置について図１〜図１２を参照しながら説明する。なお、以下の説明では特に断りがない限り、図４（ｂ）に示す向きにおいて上下左右の方向を規定して説明を行う。
【００１３】
本実施形態の床用配線装置１は、第１天板部材２Ａと、第２天板部材２Ｂと、第１配線器具ブロック３Ａと、第２配線器具ブロック３Ｂと、プレート部材４と、蓋材５とを主要な構成として備えている。また、床用配線装置１は、第１及び第２配線器具ブロック３Ａ，３Ｂに接続された電線を収納する空間を、床材１００の裏側の空間と仕切るための仕切り部材６と、パッキン７とを備えている。ここに本実施形態では、プレート部材４と、蓋材５とで床用配線部材８が構成されている。
【００１４】
第１天板部材２Ａ及び第２天板部材２Ｂは、それぞれ金属の薄板にプレス加工を施して形成され、中央片２０と、中央片２０の両端から一方向に突出する側片２１，２２とで略Ｕ字型に形成されている。第１天板部材２Ａ及び第２天板部材２Ｂは、側片２１，２２の先端部の形状を除いて線対称の形状に形成されており、側片２１同士、側片２２同士をそれぞれ付き合わせた状態で床材１００に載置されることで、各辺の長さが略等しい四角枠を構成している。第１天板部材２Ａの側片２１，２２には、各々の先端側に、Ｌ字状の係合部２３ａ，２４ａが形成されている。また、第２天板部材２Ｂの側片２１，２２にも、各々の先端側に、対応する係合部２３ａ，２４ａと係止するＬ字状の係合部２３ｂ，２４ｂが形成されている。
【００１５】
また、第１天板部材２Ａ及び第２天板部材２Ｂの中央片２０には、各々の内側縁（他方の天板部材と対向する側縁）から下方に突出する当接片２５が形成されている。また、中央片２０には、対応する配線器具ブロック（第１配線器具ブロック３Ａ又は第２配線器具ブロック３Ｂ）を取り付けるための取付ねじ２８がそれぞれ挿通される挿通孔２６，２７が、中央片２０の両端付近に設けられている。さらに、中央片２０には、後述するプレート部材４を固定するための取付ねじ４４がそれぞれねじ込まれるねじ穴２９ａ，２９ｂが、中央片２０の両端付近に設けられている。
【００１６】
第１配線器具ブロック３Ａは、強電用の配線器具として用いられるＡＣ１００Ｖ用の電源コンセント３１Ａと、取付枠３２と、取付金具３３と、電線固定金具３４と、絶縁カバー３５とを主要な構成として備えている。
【００１７】
電源コンセント３１Ａには、大角形連用配線器具として規格化された既存の配線器具が用いられ、この電源コンセント３１Ａを保持して取付金具３３に取り付けるために合成樹脂製の取付枠３２が使用される。
【００１８】
取付金具３３は、金属板にプレス加工を施して形成され、側面視の形状が略Ｕ字状となっている。取付金具３３は、取付枠３２が裏側に取り付けられ、開口３３ｂを通して電源コンセント３１Ａの前面を露出させる器具保持片３３ａを備えている。この器具保持片３３ａは、下側に向かって斜め前方（図７（ｂ）の斜め右側）に傾斜しており、電源コンセント３１Ａにプラグを差し込みやすくなっている。器具保持片３３ａの上側縁中央部からは、床材１００の下面に当接する当接片３３ｃが一方向（床材１００の取付孔１０１と反対側）に突出して設けられている。器具保持片３３ａの上側縁両端部からは、当接片３３ｃと逆方向（取付孔１０１側）に突出する固定片３３ｄ，３３ｅが設けられている。また、器具保持片３３ａの下側縁からは、当接片３３ｃと同じ方向に突出し、電線固定金具３４がねじ止めされる金具取付片３３ｆが設けられている。さらに、器具保持片３３ａの下側縁には、金具取付片３３ｆと逆方向に突出して、仕切り部材６を固定するための固定片３３ｇが設けられている。
【００１９】
この第１配線器具ブロック３Ａは、第１天板部材２Ａとの間で床材１００を挟持することによって床材１００に固定される。すなわち、第１天板部材２Ａの挿通孔２６，２７にそれぞれ通された取付ねじ２８，２８を、対応する固定片３３ｄ，３３ｅのねじ穴にねじ込むことによって、第１天板部材２Ａと第１配線器具ブロック３Ａとが連結される。そして、第１天板部材２Ａと第１配線器具ブロック３Ａとの間に床材１００を挟んだ状態で取付ねじ２８，２８をねじ込むと、第１天板部材２Ａと当接片３３ｃとの間で床材１００が強く挟持され、第１配線器具ブロック３Ａが床材１００に固定されるようになっている。
【００２０】
電線固定金具３４は、取付金具３３の金具取付片３３ｆにねじ固定されており、その後側縁には、合成樹脂により帯状に形成された結束バンド（図示せず）を挿通する挿通孔３４ａが複数形成されている。電源コンセント３１Ａの後面には電線挿通孔３１ａが開口しており、床材１００の下側の配線スペースに配線された電力線（図示せず）を電線挿通孔３１ａに挿通すると、内部に収納された速結端子構造の端子部（図示せず）に電力線が接続されるようになっている。本実施形態では、施工者が、電源コンセント３１Ａに接続した電力線を、挿通孔３４ａに通した結束バンドで結束することによって、電力線を電線固定金具３４に固定することができ、端子部に加わる張力を低減することができる。また、取付枠３２には、係止爪３５ａを取付枠３２の周縁部に引っ掛けることによって、電源コンセント３１Ａの後面を覆う絶縁カバー３５が着脱自在に取り付けられるようになっている。
【００２１】
第２配線器具ブロック３Ｂは、弱電用の配線器具として用いられるＬＡＮコンセント３１Ｂと、取付枠３２と、取付金具３３とで構成される。ＬＡＮコンセント３１Ｂには、大角形連用配線器具として規格化された既存の配線器具が用いられ、それぞれ単位モジュール寸法に形成された３個のＬＡＮコンセント３１Ｂが取付枠３２を介して取付金具３３に取り付けられている。なお、第２配線器具ブロック３Ｂは、配線器具としてＬＡＮコンセント３１Ｂを備える点を除いては、第１配線器具ブロック３Ａと同様の構成を有しているので、共通する構成要素には同一の符号を付して、その説明は省略する。
【００２２】
仕切り部材６は、金属板を略Ｕ字型に曲げ加工することによって形成され、中央片６ａには第１及び第２配線器具ブロック３Ａ，３Ｂの取付金具３３に設けられた固定片３３ｇのねじ穴にそれぞれ対応する位置に挿通孔６ｂが形成されている。この仕切り部材６は、挿通孔６ｂに通した固定ねじ６ｃが対応する固定片３３ｇのねじ穴にねじ込まれることで、各取付金具３３に固定されるようになっている。そして、この仕切り部材６は、取付金具３３，３３とともに、床材１００の下側の空間を仕切って、第１及び第２配線器具ブロック３Ａ，３Ｂに接続される電線を収める収納空間を形成する。
【００２３】
プレート部材４は、例えばアルミダイキャストにより、４辺の長さが略等しい矩形枠状に形成されており、中央部には矩形の開口部４１が設けられている。開口部４１の開口端縁には、１辺を除く３辺から内側方向に突出して、蓋材５が閉じられた際に蓋材５の一部が載置される載置片４２が形成されている。この載置片４２には、第１天板部材２Ａ及び第２天板部材２Ｂにそれぞれ設けられたねじ穴２９ａ，２９ｂに対応する位置に、取付ねじ４４を挿通する各２個の挿通孔４３ａ，４３ｂが設けられている。蓋材５は、開口部４１の開口端縁のうち載置片４２が形成されていない１辺と平行な回転軸を中心に回転自在となっており、蓋材５の軸５１を回転自在に支持する軸孔４５（図２では片側のみ図示）が開口端縁に設けられている。ここに本実施形態では、後述する通線チップ５３を開いた状態において通線チップ５３に設けられた脚部５３ａが載置片４２に当接するようになっており、載置片４２により第１の載置部が構成されている。
【００２４】
蓋材５は、例えばアルミダイキャストにより矩形板状に形成された蓋本体５０を有し、蓋本体５０の一端側の両側面には軸５１がそれぞれ突設されている。蓋本体５０において、一方の軸５１が突設された側縁には、第１及び第２配線器具ブロック３Ａ，３Ｂに接続される電線（図示せず）を通すための矩形の通線孔５２が切欠形成されている。また、通線孔５２の開口端縁において対向する２辺には、後述する通線チップ５３の一部が載置される載置片５０ｃが設けられるとともに、通線チップ５３の回転軸となる軸５３ｂが差し込まれる横長の軸孔５０ｂが設けられている。さらに、通線孔５２の開口端縁の残りの１辺には、通線チップ５３の一部が載置される載置片（第２の載置部）５０ａが横並びに２個設けられている。なお、各載置片５０ａの一面（図２中の上面）には、通線チップ５３を開けた状態で通線チップ５３の端部（蓋本体５０側の端部）が当接する凹みが設けられている。
【００２５】
また、蓋本体５０には、例えばアルミダイキャストにより横長の矩形板状に形成されて、通線孔５２を開閉自在に閉塞する通線チップ５３が回転自在に取り付けられている。この通線チップ５３の一端側（図２中の蓋本体５０側）の両側面には軸５３ｂがそれぞれ突設されており、蓋本体５０の対応する軸孔５０ｂにそれぞれ差し込むことで回転軸として機能する。また、通線チップ５３の下面には、下方に突出する複数（図２では３個）の脚片（脚部）５３ａが所定の間隔を空けて設けられている。さらに、左右両側の脚片５３ａには、それぞれ通線チップ５３の開方向への回転角度を制限するストッパー５３ｃが設けられるとともに、通線チップ５３を閉じた状態において蓋本体５０の裏面に当接することで通線チップ５３の浮き上がりを防止するストッパー５３ｄが設けられている。なお、図１に示すように、隣接する脚片５３ａの間には、通線チップ５３の開口を通して床下に配線される電線（図示せず）を保護するためのブッシング５５が保持されている。
【００２６】
ここにおいて、各脚片５３ａは、側面視の形状が、通線チップ５３を開いた状態で水平方向に延びる第１の辺と、通線チップ５３を閉じた状態で鉛直方向に延びる第２の辺とを有する三角形状に形成されている。また、中央の脚片５３ａは、強電流電線（例えば電源コンセント３１Ａに接続される電源線）と弱電流電線（例えばＬＡＮコンセント３１Ｂに接続される通信線）とを隔てる隔壁として兼用される。例えば中央の脚片５３ａの片側に強電流電線を通し、反対側に弱電流電線を通すことで、両電線の間を脚片５３ａで隔てることができる。
【００２７】
パッキン７は、例えば合成樹脂により矩形枠状に形成されており、第１及び第２天板部材２Ａ，２Ｂとプレート部材４との間に配置される。
【００２８】
ここで、本実施形態の床用配線部材８の特徴部分について詳述する。図１はこの床用配線部材８を下側から見た斜視図であり、蓋材５を構成する蓋本体５０及び通線チップ５３がともに閉じた状態を示している。このとき、通線チップ５３は蓋本体５０に設けられた載置片５０ａ，５０ｃ上に載置された状態にあり、また載置片５０ｃの裏面先端にはストッパー５３ｄが当接しており、通線チップ５３の上方への浮き上がりを防止している。またこのとき、通線チップ５３の軸５３ｂは、軸孔５０ｂ内において通線チップ５３の開口側と反対側（図１の右側）に位置しており、本実施形態ではこの位置が軸５３ｂの第１の位置となる。そして、蓋本体５０を開いた状態で上記開口側（図１の左側）に通線チップ５３を移動させると、軸５３ｂが長孔状の軸孔５０ｂ内を上記開口側に移動するとともに、ストッパー５３ｄが載置片５０ｃに当接しない位置まで移動し、その結果、通線チップ５３の開閉動作が可能になる。ここに本実施形態では、軸孔５０ｂ内における上記開口側の位置が軸５３ｂの第２の位置となる。つまり、通線チップ５３の軸５３ｂは、軸孔５０ｂ内において上記第１の位置と第２の位置との間で移動自在となっている。
【００２９】
また、図６（ｂ）は本実施形態の床用配線部材８を用いた床用配線装置１の側断面図であり、通線チップ５３が開いた状態を示している。このとき、通線チップ５３の開口側と反対側（図６（ｂ）の右側）の端部が、蓋本体５０に設けられた載置片５０ａの上記凹み部分に当接した状態にある。そのため、例えば上記開口側（図６（ｂ）の左側）から通線チップ５３に衝撃力が加えられた場合でも、この衝撃力を載置片５０ａが受けることで軸５３ｂに応力が集中することなく、軸５３ｂにかかる荷重を低減することができる。ここに本実施形態では、載置片５０ａの上記凹みにより移動規制部が構成されている。
【００３０】
次に、床用配線装置１の施工手順について図１０及び図１１を参照しながら説明する。
【００３１】
まず、施工者は、図１０（ａ）に示すように第１天板部材２Ａの挿通孔２６，２７に通した取付ねじ２８，２８を第１配線器具ブロック３Ａの取付金具３３の固定片３３ｄ，３３ｅにねじ込むことで、第１天板部材２Ａと第１配線器具ブロック３Ａとを仮組みする。
【００３２】
その後、施工者は、第１天板部材２Ａと第１配線器具ブロック３Ａとを仮組みした状態で、第１配線器具ブロック３Ａを取付孔１０１から床材１００の裏側に挿入し、図１０（ｂ）に示すように第１天板部材２Ａを取付孔１０１の周縁部に載置する。図１０では図示を省略しているが、この状態では第１天板部材２Ａの当接片２５が取付孔１０１の端面と当接することで、第１天板部材２Ａの載置位置が位置決めされる。また、図１０（ｂ）では図示を簡単にするため、片側の床材１００を省略して図示してある。施工者は、この状態で取付ねじ２８，２８を締め付け、第１天板部材２Ａと第１配線器具ブロック３Ａとの間で床材１００を挟持させることにより、第１天板部材２Ａ及び第１配線器具ブロック３Ａを床材１００に仮固定する。
【００３３】
次に、施工者は、第２天板部材２Ｂと第２配線器具ブロック３Ｂとを同様に仮組みした状態で、第２配線器具ブロック３Ｂを取付孔１０１から床材１００の裏側に挿入する。このとき、施工者は、第１天板部材２Ａ及び第２天板部材２Ｂの係合部２３ａ，２３ｂ同士、係合部２４ａ，２４ｂ同士をそれぞれ係止させた状態で、第２天板部材２Ｂを取付孔１０１の周縁部に載置する。施工者は、この状態で取付ねじ２８，２８を締め付け、第２天板部材２Ｂと第２配線器具ブロック３Ｂとの間で床材１００を挟持させることによって、第２天板部材２Ｂ及び第２配線器具ブロック３Ｂを床材１００に仮固定する。
【００３４】
その後、施工者は、図１０（ｄ）に示すように、取付孔１０１から仕切り部材６を挿入し、仕切り部材６の挿通孔６ｂに通した固定ねじ６ｃを固定片３３ｇのねじ穴にねじ込むことによって、仕切り部材６を第１及び第２配線器具ブロック３Ａ，３Ｂに固定する（図１０（ｅ）参照）。
【００３５】
次に、施工者は、図１１（ａ）に示すように、床材１００の上面にカーペット１０３を敷き、第１及び第２天板部材２Ａ，２Ｂの上面にパッキン７を載せ、さらにパッキン７の上側にプレート部材４を載置する。そして、施工者は、プレート部材４の挿通孔４３ａ，４３ｂに通した取付ねじ４４を、それぞれ第１及び第２天板部材２Ａ，２Ｂの対応するねじ穴２９ａ，２９ｂにねじ込むことで、プレート部材４を第１及び第２天板部材２Ａ，２Ｂに固定する。最後に、施工者は、プレート部材４に対して蓋材５を回転自在に取り付けることで、床用配線装置１の施工が完了する。
【００３６】
また、床用配線装置１に電線を接続する手順について図１２を参照しながら説明する。図１２（ａ）は蓋本体５０及び通線チップ５３が閉じた状態を示し、この状態では開閉用釦５４と一体に形成された保持片５６（図１参照）によって蓋本体５０が閉状態に保持され、通線チップ５３もストッパー５３ｄが載置片５０ｃの裏面先端に当接することによって、閉じた状態で保持される。
【００３７】
施工者が、この状態で開閉用釦５４を開方向にスライドさせると、保持片５６による保持状態が解除され、蓋本体５０の裏側に配置された板ばね（図示せず）のばね力を受けて、蓋本体５０が僅かに開いた状態となる（図１２（ｂ）参照）。この状態から施工者が蓋本体５０を開方向（図１２（ｃ）中の矢印Ｄ１方向）に移動させ、蓋本体５０が大きく開かれた状態で電源コンセント３１Ａ又はＬＡＮコンセント３１Ｂへの配線が行われる。また施工者は、電源コンセント３１Ａ又はＬＡＮコンセント３１Ｂに接続された電線を外部に引き出すために、通線チップ５３を手前（図１２（ｄ）中の矢印Ｄ２方向）に引き出すとともに、開方向（図１２（ｄ）中の矢印Ｄ３方向）に回転させる。なおこのとき、通線チップ５３を手前に引き出すことで、ストッパー５３ｄが載置片５０ｃに当接しない位置（第２の位置）まで移動するため、開方向への回転が可能になる。またこのとき、通線チップ５３はストッパー５３ｃによって回転角度が制限されており、施工者は、通線チップ５３が開いた状態で蓋本体５０を閉方向（図１２（ｅ）中の矢印Ｄ４方向）に移動させる。
【００３８】
さらに施工者が、板ばねのばね力に抗して蓋本体５０を閉方向（図１２（ｆ）中の矢印Ｄ５方向）に移動させ、蓋本体５０が完全に閉じると、保持片５６によって蓋本体５０が閉状態で保持される。また通線チップ５３に設けた脚片５３ａが載置片４２に載置された状態となり、通線チップ５３が開いた状態で保持され（図１２（ｇ）参照）、隣接する脚片５３ａの間のスペースから電線が外部に引き出されることになる。通線チップ５３は開いた状態で保持されるから、通線チップ５３が踏まれたとしても、通線チップ５３と床材１００との間で電線が挟まれることはなく、電線を保護することができる。またこのとき、図６（ｂ）に示すように通線チップ５３の開口側と反対側の端部（蓋本体５０側の端部）が載置片５０ａの上記凹み部分に当接しており、上記開口側から通線チップ５３に衝撃力が加えられた場合でもこの衝撃力を載置片５０ａが受けることで軸５３ｂに応力が集中することなく、軸５３ｂにかかる荷重を低減することができる。
【００３９】
以上のような手順により、施工者が蓋本体５０を開いて配線を行った後、通線チップ５３を開いた状態で蓋本体５０を閉じることができ、また施工者が上述と逆の手順を行うことによって、通線チップ５３が開いた状態から閉じた状態へと切り替えることができる。
【００４０】
上述のように本実施形態の床用配線部材８は、プレート部材４と、蓋材５とを備えている。蓋材５は、電線を通すための通線孔５２が設けられた蓋本体５０と、蓋本体５０に回転自在に支持されて通線孔５２を閉塞する通線チップ５３とで構成されている。通線チップ５３は、通線チップ５３の回転軸となる軸５３ｂと、通線チップ５３を開いた状態においてプレート部材４に設けられた載置片４２に少なくとも一部が載置される脚片５３ａとを有している。また、脚片５３ａには、蓋本体５０の裏面に当接することで通線チップ５３の浮き上がりを防止するストッパー５３ｄが設けられている。さらに、軸５３ｂは、軸５３ｂの軸方向と直交する方向において、ストッパー５３ｄが蓋本体５０の裏面に当接する第１の位置と、ストッパー５３ｄが蓋本体の裏面に当接しない第２の位置との間で移動自在に支持されている。
【００４１】
これにより、通線チップ５３の軸５３ｂが第１の位置にある状態、つまり通線チップ５３が通線孔５２を閉塞している状態では、ストッパー５３ｄが蓋本体５０の載置片５０ｃの裏面に当接することで通線チップ５３の浮き上がりを防止でき、その結果、通線チップ５３の浮き上がりによる躓きを防止できて安全性が向上するという利点がある。
【００４２】
また本実施形態では、図１に示すように、軸部５３ｂが上記第１の位置にある状態において、ストッパー５３ｄが蓋本体５０に設けられた載置片５０ｃの裏面端部に当接するのが好ましい。
【００４３】
これにより、ストッパー５３ｄの当接位置を載置片５０ｃの途中位置とした場合に比べて、ストッパー５３ｄが載置片５０ｃに当接しない第２の位置までの軸５３ｄの移動量を小さくすることができる。
【００４４】
また本実施形態では、蓋本体５０は、通線チップ５３が閉じられた状態において通線チップ５３の一部が載置される載置片５０ａを有している。この載置片５０ａは、通線チップ５３を開いた状態では通線チップ５３の開口側と反対側の端部が当接しており、通線チップ５３が上記反対側に移動するのを規制している。
【００４５】
これにより、例えば上記開口側から通線チップ５３に衝撃力が加えられた場合でも、この衝撃力を載置片５０ａが受けることで軸５３ｂに応力が集中することなく、軸５３ｂにかかる荷重を低減することができる。
【符号の説明】
【００４６】
４  プレート部材
５  蓋材
８  床用配線部材
４２  載置片（第１の載置部）
５０  蓋本体
５２  通線孔
５３  通線チップ
５３ａ  脚片（脚部）
５３ｂ  軸（軸部）
５３ｄ  ストッパー
【図１】
0005796210.tif 000002
【図２】
0005796210.tif 000003
【図３】
0005796210.tif 000004
【図４】
0005796210.tif 000005
【図５】
0005796210.tif 000006
【図６】
0005796210.tif 000007
【図７】
0005796210.tif 000008
【図８】
0005796210.tif 000009
【図９】
0005796210.tif 000010
【図１０】
0005796210.tif 000011
【図１１】
0005796210.tif 000012
【図１２】
0005796210.tif 000013